(57)【特許請求の範囲】
【請求項１】
サービス提供主体から提供されるサービスを施設で利用する権利に関する権利情報の登録を受付ける登録受付手段と、
前記登録受付手段により権利情報の登録を受付けた権利の使用権限を無効状態として使用権限情報を記憶する記憶手段と、
施設に対して権利を行使するユーザから行使する権利の有効化の指示を受付ける指示受付手段と、
前記指示受付手段により使用権限の有効化が指示された権利に対応付けたコード情報を前記ユーザへ提供する提供手段と、
前記指示受付手段により使用権限の有効化が指示された権利の前記使用権限情報に記憶された使用権限を所定の期間、有効に変更する変更手段と、
施設に設けられた施設装置から前記コード情報を受信した場合、当該コード情報に対応付けられ、前記使用権限情報に記憶された権利の使用権限に基づいて、当該施設装置へ使用権限の有無を通知する通知手段と、
を有することを特徴とする権限管理装置。
【請求項２】
前記記憶手段は、権利の種類毎に、使用権限を有効化する条件をさらに記憶し、
前記変更手段は、前記記憶手段に記憶された権利の種類に応じた条件に従い、使用権限の有効化を指示された権利の使用権限を変更する
ことを特徴とする請求項１に記載の権限管理装置。
【請求項３】
前記提供手段は、有効化が指示された権利に関連する広告をさらに前記ユーザへ提供する
ことを特徴とする請求項１または２に記載の権限管理装置。
【請求項４】
前記記憶手段は、前記サービス提供主体から権利が提供されたユーザの特徴を示す特徴情報を記憶し、
前記通知手段は、使用権限の有無を通知する権利が提供されたユーザの前記特徴情報を施設装置へ送信する
ことを特徴とする請求項１〜３の何れか１つに記載の権限管理装置。
【請求項５】
前記変更手段は、前記指示受付手段により使用権限の有効化を指示したユーザについて、前記使用権限情報で有効化が指示された以外の権利が有効化されている場合、有効化が指示された権利を無効状態とし、
前記提供手段は、前記指示受付手段により使用権限の有効化を指示したユーザについて、前記使用権限情報で有効化が指示された以外の権利が有効化されている場合、有効化が指示された権利についてのコード情報の提供を中止する
ことを特徴とする請求項１〜４の何れか１つに記載の権限管理装置。
【請求項６】
前記登録受付手段は、前記権利情報として、権利を行使する際に使用されるカードを識別するＩＤ情報の登録を受付け、
前記記憶手段は、登録を受付けたカードのＩＤ情報に対応させて使用権限を使用権限情報に記憶し、
前記提供手段は、前記指示受付手段により使用権限の有効化が指示されたカードのＩＤ情報に対応付けたコード情報を前記ユーザへ提供し、
前記通知手段は、施設に設けられた施設装置から前記コード情報を受信した場合、当該コード情報に対応付けられたＩＤ情報に対応して前記使用権限情報に記憶された使用権限に基づいて、当該施設装置へカードの使用権限の有無を通知する
ことを特徴とする請求項１〜５の何れか１つに記載の権限管理装置。
【請求項７】
前記ＩＤ情報は、カードに固有に定められた番号に関連付けて定められた中間的な番号である
ことを特徴とする請求項６に記載の権限管理装置。
【請求項８】
コンピュータが実行する権限管理方法であって、
サービス提供主体から提供されるサービスを施設で利用する権利に関する権利情報の登録を受付ける登録受付工程と、
前記登録受付工程により権利情報の登録を受付けた権利の使用権限を無効状態として使用権限情報を記憶手段に記憶する記憶工程と、
施設に対して権利を行使するユーザから行使する権利の有効化の指示を受付ける指示受付工程と、
前記指示受付工程により使用権限の有効化が指示された権利に対応付けたコード情報を前記ユーザへ提供する提供工程と、
前記指示受付工程により使用権限の有効化が指示された権利の前記使用権限情報に記憶された使用権限を所定の期間、有効に変更する変更工程と、
施設に設けられた施設装置から前記コード情報を受信した場合、当該コード情報に対応付けられ、前記使用権限情報に記憶された権利の使用権限に基づいて、当該店舗装置へ使用権限の有無を通知する通知工程と、
を有することを特徴とする権限管理方法。
【請求項９】
サービス提供主体から提供されるサービスを施設で利用する権利に関する権利情報の登録を受付ける登録受付手順と、
前記登録受付手順により権利情報の登録を受付けた権利の使用権限を無効状態として使用権限情報を記憶手段に記憶する記憶手順と、
施設に対して権利を行使するユーザから行使する権利の有効化の指示を受付ける指示受付手順と、
前記指示受付手順により使用権限の有効化が指示された権利に対応付けたコード情報を前記ユーザへ提供する提供手順と、
前記指示受付手順により使用権限の有効化が指示された権利の前記使用権限情報に記憶された使用権限を所定の期間、有効に変更する変更手順と、
施設に設けられた施設装置から前記コード情報を受信した場合、当該コード情報に対応付けられ、前記使用権限情報に記憶された権利の使用権限に基づいて、当該店舗装置へ使用権限の有無を通知する通知手順と、
をコンピュータに実行させることを特徴とする権限管理プログラム。
【発明の詳細な説明】
【技術分野】
【０００１】
本発明は、権限管理装置、権限管理方法および権限管理プログラムに関する。
【背景技術】
【０００２】
ユーザは、サービス提供主体から提供される権利を施設で利用している。例えば、ユーザは、クレジット会社から提供されるクレジットカードや、ポイントサービスを提供する店舗から提供されるポイントカードなど様々なカードを持ち歩き、店舗でカードを出して、クレジットでの支払いやポイントの利用などカードに応じた権利を行使する。しかし、ユーザは、他人が本人になりすまされて権利を行使される場合がある。例えば、ユーザが、カードを用いて権利を行使する場合、カードを持ち歩くことにより、カードを紛失したたり、紛失したカードが不正利用されてなりすましが行われるなどのリスクがある。
【０００３】
そこで、例えば、紛失したカードが不正利用を抑制する技術として、使用前に銀行サーバにメールで問い合わせてロック解除を行うことにより、ＡＴＭ（automated  teller  machine：現金自動預け払い機）でキャッシュカードの使用を可能とする従来技術が提案されている（例えば、特許文献１）。
【先行技術文献】
【特許文献】
【０００４】
【特許文献１】特開２００７−１２００９号公報
【発明の概要】
【発明が解決しようとする課題】
【０００５】
しかしながら、従来技術は、カードの種別毎に、ロック解除のシステムを構築しなければならず、店舗も各システムに対応させる必要がある。また、ユーザはそれぞれのカードごとにロック解除のルールを覚えて個別に管理しなければならない。すなわち、従来、権利の不正利用を抑制するには、管理対象とする権利毎に、ロック解除のシステムを構築し、ユーザがそれぞれのロック解除のルールを覚える必要があり、煩雑であった。
【０００６】
本願は、上記に鑑みてなされたものであって、権利の不正利用を抑制しつつ、ユーザの利便性を向上させることができる権限管理装置、権限管理方法および権限管理プログラムを提供することを目的とする。
【課題を解決するための手段】
【０００７】
本願に係る権限管理装置は、サービス提供主体から提供されるサービスを施設で利用する権利に関する権利情報の登録を受付ける登録受付手段と、前記登録受付手段により権利情報の登録を受付けた権利の使用権限を無効状態として使用権限情報に記憶する記憶手段と、施設に対して権利を行使するユーザから行使する権利の有効化の指示を受付ける指示受付手段と、前記指示受付手段により使用権限の有効化が指示された権利に対応付けたコード情報を前記ユーザへ提供する提供手段と、前記指示受付手段により使用権限の有効化が指示された権利の前記使用権限情報に記憶された使用権限を所定の期間、有効に変更する変更手段と、施設に設けられた施設装置から前記コード情報を受信した場合、当該コード情報に対応付けられ、前記使用権限情報に記憶された権利の使用権限に基づいて、当該施設装置へ使用権限の有無を通知する通知手段と、を有することを特徴とする。
【発明の効果】
【０００８】
本願に係る権限管理装置は、権利の不正利用を抑制しつつ、ユーザの利便性を向上させることができる。
【図面の簡単な説明】
【０００９】
【図１】図１は、第１の実施形態に係るシステムの構成を模式的に示した図である。
【図２】図２は、第１の実施形態に係る権限管理装置の機能的な構成の一例を示す図である。
【図３】図３は、第１の実施形態に係るユーザ情報テーブルのデータ構成の一例を示す図である。
【図４】図４は、第１の実施形態に係る権利情報のデータ構成の一例を示す図である。
【図５】図５は、第１の実施形態に係る提供コード情報のデータ構成の一例を示す図である。
【図６】図６は、第１の実施形態に係るユーザ端末の機能的な構成の一例を示す図である。
【図７】図７は、第１の実施形態に係る店舗装置の機能的な構成の一例を示す図である。
【図８】図８は、使用権限の管理を行うカードの登録を行う流れを示すシーケンス図である。
【図９】図９は、カードの使用権限を確認するためのチケットの発行を行う流れを示すシーケンス図である。
【図１０】図１０は、カードの使用権限を確認する流れを示すシーケンス図である。
【図１１】図１１は、登録処理の手順を示すフローチャートである。
【図１２】図１２は、チケット提供処理の手順を示すフローチャートである。
【図１３】図１３は、権限変更処理の手順を示すフローチャートである。
【図１４】図１４は、通知処理の手順を示すフローチャートである。
【図１５】図１５は、有効化指示画面の一例を示す図である。
【図１６】図１６は、中間的な番号を説明するための図である。
【発明を実施するための形態】
【００１０】
以下に、本発明に係る権限管理装置、権限管理方法および権限管理プログラムを実施するための形態（以下、「実施形態」と呼ぶ）について図面を参照しつつ詳細に説明する。なお、この実施形態によりこの発明が限定されるものではない。そして、各実施形態は、処理内容を矛盾させない範囲で適宜組み合わせることが可能である。なお、以下では、施設として店舗を例とし、サービス提供主体から提供される権利として、カードに応じた権利を行使する場合を例にして説明を行う。
【００１１】
（第１の実施形態）
［１−１．システム構成］
実施形態について説明する。実施形態では、権利に関する権利情報として、各ユーザがそれぞれ保持する各種のカードに関する情報を権限管理装置へ登録しておき、ユーザがカードの権利を行使する際に、権限管理装置からカードの権限を確認するためのコード情報を取得し、店舗がコード情報に基づいて、カードの権限の確認を行うシステムについて説明する。図１は、第１の実施形態に係るシステムの構成を模式的に示した図である。図１に示すように、システム１０は、ユーザ端末１１と、店舗装置１２と、権限管理装置１３とを有する。ユーザ端末１１と権限管理装置１３、および店舗装置１２と権限管理装置１３は、図示しないネットワークを介して通信可能に接続される。かかるネットワークの一態様としては、有線または無線を問わず、インターネット（Internet）、ＬＡＮ（Local  Area  Network）やＶＰＮ（Virtual  Private  Network）、移動体通信網などの任意の通信網が挙げられる。図１の例では、ユーザ端末１１と権限管理装置１３、および店舗装置１２と権限管理装置１３を実線で接続してオンライン状態であることを示し、ユーザ端末１１と店舗装置１２を破線で接続してオフライン状態であることを示している。なお、図１の例では、システム１０は、ユーザ端末１１および店舗装置１２を１つずつ有する場合を例示したが、開示のシステムはこれに限定されず、ユーザ端末１１および店舗装置１２を任意の数とすることができる。また、システム１０は、権限管理装置１３を複数有してもよい。
【００１２】
ユーザ端末１１は、ユーザが保持する端末装置である。例えば、ユーザ端末１１は、デスクトップ型ＰＣ（Personal  Computer）、タブレット型ＰＣ、ノート型ＰＣ、携帯電話機、スマートフォン、ＰＤＡ（Personal  Digital  Assistant）等である。
【００１３】
店舗装置１２は、サービス提供主体からユーザに付与された権利に応じたサービスを提供する装置である。例えば、店舗装置１２は、カードを用いたサービスを提供する店舗に配置された装置あり、一例として、店舗の会計処理を行うＰＯＳ（Point  Of  Sales）端末である。なお、店舗装置１２は、デスクトップ型ＰＣ、タブレット型ＰＣ、ノート型ＰＣなどの情報処理装置であってもよい。カードを用いたサービスとしては、例えば、クレジットでの支払い、ポイントの付与やポイントの利用、価格の割引などのインセンティブの提供、物品や特別な情報などの特典の提供などが挙げられる。ユーザは、カードを提示して店舗に対してカードに応じた権利の行使を要求する。店舗では、カードに応じた権利の行使が要求された場合、権限管理装置１３に対して問い合わせを行ってカードの権限を確認し、使用可能である場合にカードに応じたサービスを提供する。例えば、ユーザがポイントカードを提示して、蓄積されたポイントの利用を要求した場合、店舗では、カードの権限を確認し、使用可能である場合に蓄積されたポイントに応じた金額を商品の金額から差し引いて会計処理を行う。
【００１４】
権限管理装置１３は、ユーザから権利に関する権利情報の登録を受付け、権利情報の登録を受付けた権利の使用権限を管理するサーバコンピュータ等の情報処理装置である。例えば、権限管理装置１３は、ユーザからカードに関する各種の情報の登録を受付け、登録されたカードの使用の権限を管理する。また、権限管理装置１３は、ユーザから行使する権利の有効化の指示を受付ける。権限管理装置１３は、ユーザから行使する権利の有効化の指示を受付けると、使用権限の有効化が指示され権利の使用権限を所定の期間、有効に変更し、有効化が指示された権利に対応付けたコード情報をユーザへ提供する。例えば、権限管理装置１３は、ユーザから権利を行使するカードの使用権限の有効化の指示を受付ける。権限管理装置１３は、カードの使用権限の有効化の指示を受付けると、使用権限の有効化が指示されカードの使用権限を所定の期間、有効に変更し、当該カードに対応付けたコード情報をユーザへ提供する。以下、本実施形態では、コード情報を「チケット」とも言う。そして、権限管理装置１３は、コード情報を受信した場合、当該コード情報に対応付けられた権利の使用権限に基づいて、使用権限の有無を通知する。例えば、権限管理装置１３は、店舗に設置されている店舗装置１２からチケットを受信した場合、店舗装置１２へカードの使用権限の有無を通知する。
【００１５】
［１−２．権限管理装置、店舗装置およびユーザ端末の構成］
次に、第１の実施形態に係るユーザ端末１１、店舗装置１２および権限管理装置１３についてさらに詳細に説明する。最初に権限管理装置１３の構成について説明する。図２は、第１の実施形態に係る権限管理装置の機能的な構成の一例を示す図である。
【００１６】
図２に示すように、権限管理装置１３は、通信Ｉ／Ｆ（インタフェース）部２０と、記憶部２１と、制御部２２とを有する。
【００１７】
通信Ｉ／Ｆ部２０は、ＮＩＣ（Network  Interface  Card）等のインタフェースである。通信Ｉ／Ｆ部２０は、図示しないネットワークを介して他の装置との間で各種のデータを送受信する。例えば、通信Ｉ／Ｆ部２０は、ユーザ端末１１へログイン画面やカードの登録画面、使用権限を有効化するカードを指示する有効化指示画面など各種の画面のデータを送信し、ユーザ端末１１から画面に対する各種の操作情報を受信する。また、通信Ｉ／Ｆ部２０は、カードの使用権限を確認するために用いるチケットをユーザ端末１１へ送信する。また、通信Ｉ／Ｆ部２０は、店舗装置１２からチケットを受信し、チケットに対応付けたカードの使用権限の有無をチケットの送信元の店舗装置１２へ送信する。
【００１８】
記憶部２１は、各種情報を記憶するデバイスである。例えば、記憶部２１としては、ＲＡＭ（Random  Access  Memory）、フラッシュメモリなどの半導体メモリ素子や、ハードディスク、光ディスクなどの記憶装置が挙げられる。
【００１９】
記憶部２１は、制御部２２で実行されるＯＳ（Operating  System）や各種プログラムを記憶する。さらに、記憶部２１は、各種情報を記憶する。例えば、記憶部２１は、ユーザ情報テーブル３０と、権利情報３１と、提供コード情報３２と、セキュリティポリシ情報３３とを記憶する。
【００２０】
ユーザ情報テーブル３０は、システム１０を利用するユーザに関する情報を記憶したテーブルである。例えば、ユーザ情報テーブル３０には、ユーザのユーザＩＤ（identification）やパスワード、氏名、住所が記憶されている。図３は、第１の実施形態に係るユーザ情報テーブルのデータ構成の一例を示す図である。図３に示したユーザ情報テーブル３０には、ユーザＩＤ、パスワード、氏名、住所を記憶する領域が設けられており、ユーザ毎に各領域に情報が格納されている。
【００２１】
権利情報３１は、管理対象とする権利に関する情報を記憶したデータである。例えば、権利情報３１は、権利に関する情報として、登録されたカードに関する情報を記憶する。例えば、権利情報３１には、カードを登録したユーザのユーザＩＤと、カードの識別情報と、カードの使用権限を関連付けて記憶されている。カードには、提供されるサービス毎に、識別番号や、ユーザの会員番号、クレジットカード番号などそれぞれ固有のＩＤ情報が記録されている。カードの識別情報としては、例えば、カードに記録されたＩＤ情報を用いる。図４は、第１の実施形態に係る権利情報のデータ構成の一例を示す図である。図４に示した権利情報３１には、ユーザＩＤ、ＩＤ情報、種類、使用権限を示す情報が記憶されている。例えば、図４の例では、ユーザＩＤが「０００１」について、ＩＤ情報「ＸＸＸＸＡ」が登録され、使用権限が「無効」であることを示す。
【００２２】
提供コード情報３２は、提供したチケットに関する情報を記憶したデータである。例えば、提供コード情報３２には、チケットを提供したユーザのユーザＩＤと、チケットを提供したカードのＩＤ情報と、提供したチケットと、提供した日時が関連付けて記憶されている。図５は、第１の実施形態に係る提供コード情報のデータ構成の一例を示す図である。図５示した提供コード情報３２には、ユーザＩＤ、ＩＤ情報、チケット、提供日時を記憶する領域が設けられており、提供したチケット毎に各領域に情報が格納されている。
【００２３】
セキュリティポリシ情報３３は、カードの使用権限に関するセキュリティポリシを記憶したデータである。本実施の形態では、セキュリティポリシ情報３３として、ユーザからカードの使用権限の有効化を指示された場合に、使用権限を有効化する有効期間を記憶する。例えば、セキュリティポリシ情報３３に１０分と設定することにより、ユーザがカードの使用権限の有効化を指示してから１０分以内であれば、チケットが有効とみなされる。
【００２４】
制御部２２は、権限管理装置１３を制御するデバイスである。例えば、制御部２２としては、ＣＰＵ（Central  Processing  Unit）やＭＰＵ（Micro  Processing  Unit）等の電子回路や、ＡＳＩＣ（Application  Specific  Integrated  Circuit）やＦＰＧＡ（Field  Programmable  Gate  Array）等の集積回路を採用できる。
【００２５】
制御部２２は、各種の処理手順を規定したプログラムや制御データを格納するための内部メモリを有し、これらによって種々の処理を実行する。制御部２２は、各種のプログラムが動作することにより各種の処理部として機能する。例えば、制御部２２は、認証部４０と、登録受付部４１と、指示受付部４２と、生成部４３と、提供部４４と、登録部４５と、変更部４６と、検証部４７と、通知部４８とを有する。
【００２６】
認証部４０は、ユーザ端末１１からアクセスが要求された場合、ユーザの認証を行う。例えば、認証部４０は、ユーザ端末１１からアクセスが要求された場合、ユーザＩＤ、パスワードの入力領域が設けられたログイン画面のウェブページをユーザ端末１１へ送信してユーザ端末１１にログイン画面を表示させる。そして、認証部４０は、ログイン画面からログインが指示された場合、ログイン画面の入力領域に入力されたユーザＩＤおよびパスワードが、ユーザ情報テーブル３０に記憶された何れかのユーザのユーザＩＤおよびパスワードと一致するか否かにより、ユーザの認証を行う。認証部４０は、入力されたユーザＩＤおよびパスワードが、ユーザ情報テーブル３０に記憶された何れのユーザのユーザＩＤおよびパスワードとも一致しない場合、ユーザ端末１１に認証に失敗した旨を通知する。一方、認証部４０は、入力されたユーザＩＤおよびパスワードが、ユーザ情報テーブル３０に記憶された何れのユーザのユーザＩＤおよびパスワードと一致した場合、使用権限の管理を行うカードの登録を行うか、登録したカードの使用権限の有効化の指示を行うかの選択画面のウェブページをユーザ端末１１へ送信してユーザ端末１１に選択画面を表示させる。
【００２７】
登録受付部４１は、認証部４０により認証されたユーザから店舗で権利を行使する際に使用される各種のカードの登録を受付ける。例えば、登録受付部４１は、選択画面からカードの登録が選択された場合、使用権限の管理を行うカードに関する情報を登録する登録画面のウェブページをユーザ端末１１へ送信してユーザ端末１１に登録画面を表示させる。この登録画面には、例えば、カードのＩＤ情報や、カードの種類を入力する入力領域が設けられ、カードのＩＤ情報や種類を入力することが可能とされている。登録受付部４１は、登録画面に対して登録完了が指示された場合、登録画面に入力されたカードのＩＤ情報や種類を認証されたユーザのユーザＩＤと対応関連づけ、カードの使用権限を無効状態として権利情報３１にデータを登録する。
【００２８】
指示受付部４２は、ユーザから権利を行使するカードの使用権限の有効化の指示を受付ける。例えば、指示受付部４２は、選択画面からカードの使用権限の有効化の指示が選択された場合、認証されたユーザのユーザＩＤに関連付けて権利情報３１に記憶されたカードの使用権限の有効化を指示する有効化指示画面のウェブページをユーザ端末１１へ送信してユーザ端末１１に有効化指示画面を表示させる。この有効化指示画面には、例えば、認証されたユーザのユーザＩＤに関連付けて権利情報３１に記憶されたカードのＩＤ情報、種類が表示され、それぞれのカードを選択することにより有効化を指示することが可能とされている。
【００２９】
生成部４３は、使用権限の有効化が指示されたカードに対応付けたチケットを生成する。例えば、生成部４３は、有効化指示画面で何れかのカードの使用権限の有効化が指示された場合、過去に生成したチケットと重複しないように定められた所定のコード生成規則に従い、新規のチケットを生成する。このチケットは、数字または文字によるコードであってもよく、数字と文字を組み合わせたコードであってもよい。
【００３０】
提供部４４は、生成部４３により生成されたチケットをユーザへ提供する。例えば、提供部４４は、チケットのデータをユーザのユーザ端末１１へ送信することにより、チケットをユーザへ提供する。なお、チケットの提供は、チケットのデータを送信することに限定されない。例えば、提供部４４は、チケットを２次元コードなどにコード化し、コード化された２次元コードの画像の画像データをユーザ端末１１へ送信してもよい。また、提供部４４は、チケットの数字や文字をユーザ端末１１に表示させることにチケットをユーザへ提供してもよい。
【００３１】
登録部４５は、生成部４３により生成され、提供部４４により提供されたチケットに対応付けて、認証部４０により認証されたユーザのユーザＩＤ、有効化が指示されたカードのＩＤ情報、および提供した日時を提供コード情報３２に登録する。これにより、提供コード情報３２には、チケットを提供したユーザのユーザＩＤと、チケットを提供したカードのＩＤ情報と、提供したチケットと、提供した日時が関連付けて記憶される。
【００３２】
変更部４６は、指示受付部４２により使用権限の有効化が指示されたカードの使用権限を有効に変更する。例えば、変更部４６は、指示受付部４２により使用権限の有効化が指示されたカードについての権利情報３１の使用権限を有効に変更する。また、変更部４６は、提供コード情報３２に記憶された各カードのチケットの提供日時を定期的に監視し、提供日時からセキュリティポリシ情報３３に記憶された有効期間を経過したカードの使用権限を無効に変更する。
【００３３】
検証部４７は、店舗装置１２からチケットを受信した場合、受信したチケットが適切か否か検証を行う。例えば、検証部４７は、受信したチケットが提供コード情報３２に記憶されているか否か判定する。検証部４７は、受信したチケットが提供コード情報３２に登録されていない場合、店舗装置１２にチケットが不適切である旨を店舗装置１２へ通知する。
【００３４】
通知部４８は、カードの使用権限の有無を通知する。例えば、通知部４８は、受信したチケットが提供コード情報３２に記憶されている場合、受信したチケットに対応付けられたカードのＩＤ情報を提供コード情報３２から求め、求めたカードのＩＤ情報に対応して権利情報３１に記憶されたカードの使用権限に基づいて、カードの使用権限の有無を特定する。そして、通知部４８は、特定したカードの使用権限のデータを店舗装置１２へ通知する。
【００３５】
次にユーザ端末１１の構成について説明する。図６は、第１の実施形態に係るユーザ端末の機能的な構成の一例を示す図である。
【００３６】
図６に示すように、ユーザ端末１１は、操作入力部５０と、表示部５１と、通信Ｉ／Ｆ部５２と、記憶部５３と、制御部５４とを有する。
【００３７】
操作入力部５０は、各種の情報を入力する入力デバイスである。例えば、操作入力部５０としては、マウスやキーボードなどの入力デバイスが挙げられる。操作入力部５０は、ユーザから各種の操作の入力を受付け、受付けた操作内容を示す操作情報を制御部５４に入力する。
【００３８】
表示部５１は、各種情報を表示する表示デバイスである。表示部５１としては、ＬＣＤ（Liquid  Crystal  Display）やＣＲＴ（Cathode  Ray  Tube）などの表示デバイスが挙げられる。表示部５１は、各種情報を表示する。例えば、表示部５１は、ログイン画面や選択画面、登録画面、有効化指示画面などを表示する。
【００３９】
通信Ｉ／Ｆ部５２は、ＮＩＣ等のインタフェースである。通信Ｉ／Ｆ部５２は、ネットワークを介した他の装置との間で各種のデータを送受信する。例えば、通信Ｉ／Ｆ部５２は、権限管理装置１３からログイン画面や選択画面、登録画面、有効化指示画面など各種の画面のデータを受信し、画面に対する各種の操作情報を権限管理装置１３へ送信する。また、通信Ｉ／Ｆ部５２は、権限管理装置１３からチケットを受信する。
【００４０】
記憶部５３は、各種情報を記憶するデバイスである。例えば、記憶部５３としては、ＲＡＭ、フラッシュメモリなどの半導体メモリ素子や、ハードディスク、光ディスクなどの記憶装置が挙げられる。
【００４１】
記憶部５３は、制御部５４で実行されるＯＳや各種プログラムを記憶する。さらに、記憶部５３は、各種データを記憶する。例えば、記憶部５３は、チケット６０を記憶する。
【００４２】
制御部５４は、ユーザ端末１１を制御するデバイスである。例えば、制御部５４としては、ＣＰＵやＭＰＵ等の電子回路や、ＡＳＩＣやＦＰＧＡ等の集積回路を採用できる。制御部５４は、各種の処理手順を規定したプログラムや制御データを格納するための内部メモリを有し、これらによって種々の処理を実行する。制御部５４は、各種のプログラムが動作することにより各種の処理部として機能する。例えば、制御部５４は、アクセス制御部７０と、格納部７１と、提示部７２とを有する。
【００４３】
アクセス制御部７０は、操作入力部５０に対して権限管理装置１３へのアクセスを指示する所定の操作が行われた場合、権限管理装置１３へアクセスを要求する。これにより、権限管理装置１３からログイン画面のデータが送られ、表示部５１には、権限管理装置１３へのログイン画面が表示される。ユーザは、ログイン画面にユーザＩＤおよびパスワードを入力してログインを行い、ログイン後に表示される選択画面から使用権限の管理を行うカードの登録を行うか、登録したカードの使用権限の有効化の指示を行うかを選択し、使用権限の管理を行うカードの登録を行う場合、登録画面から使用権限の管理を行うカードに関する情報の登録を行う。これにより、権利情報３１には、カードを登録したユーザのユーザＩＤと、登録したカードのＩＤ情報と、カードの種類、カードの使用権限情報が関連付けて記憶される。一方、ユーザは、カードの使用権限の有効化の指示を行う場合、有効化指示画面から使用権限を有効化するカードのＩＤ情報を選択する。これにより、権限管理装置１３からチケットのデータが受信される。
【００４４】
格納部７１は、権限管理装置１３からチケットを受信した場合、当該チケットを記憶部５３に格納する。これにより、記憶部５３には、チケット６０が記憶される。
【００４５】
提示部７２は、操作入力部５０に対してチケットの提示を要求する所定の操作が行われた場合、記憶部５３に記憶されたチケット６０を提示する。例えば、提示部７２は、記憶部５３に記憶されたチケット６０を、例えば、ＮＦＣ（Near  Field  Communication）やＲＦＩＤ（Radio  Frequency  IDentification）などの近距離無線により読み取り可能な状態とする。なお、チケット６０の提示は、無線により読み取り可能とすることに限定されない。例えば、提示部７２は、チケット６０が２次元コードなどの画像データである場合、画像データの画像を表示部５１に表示させてもよい。また、提示部７２は、チケット６０を２次元コードなどの画像データに変換し、変換されたチケットの画像を表示部５１に表示させてもよい。また、提示部７２は、チケット６０とされた数字や文字を表示部５１に表示させてもよい。
【００４６】
次に店舗装置１２の構成について説明する。図７は、第１の実施形態に係る店舗装置の機能的な構成の一例を示す図である。
【００４７】
図７に示すように、店舗装置１２は、操作入力部８０と、表示部８１と、リーダ部８２と、通信Ｉ／Ｆ部８３と、記憶部８４と、制御部８５とを有する。
【００４８】
操作入力部８０は、各種の情報を入力する入力デバイスである。例えば、操作入力部８０としては、マウスやキーボード、タッチパネルなどの入力デバイスが挙げられる。操作入力部８０は、店舗の店員から各種の情報の入力を受付け、受付けた操作内容を示す操作情報を制御部８５に入力する。
【００４９】
表示部８１は、各種情報を表示する表示デバイスである。表示部８１としては、ＬＣＤやＣＲＴなどの表示デバイスが挙げられる。表示部８１は、各種情報を表示する。例えば、表示部８１は、カードの使用を許可するか否かを表示する。
【００５０】
リーダ部８２は、チケットを読み取り、読み取ったチケットを制御部８５へ出力する。なお、リーダ部８２は、近距離無線によりチケットを読み取るものとしてもよい。また、リーダ部８２は、チケットがコード化された２次元コードを画像として読み取り、読み取った画像をデコードしてコード化されたチケットを制御部８５へ出力するものとしてもよい。
【００５１】
通信Ｉ／Ｆ部８３は、ＮＩＣ等のインタフェースである。通信Ｉ／Ｆ部８３は、ネットワークを介した他の装置との間で各種のデータを送受信する。例えば、通信Ｉ／Ｆ部８３は、チケットを権限管理装置１３へ送信し、権限管理装置１３から個人情報を受信する。
【００５２】
記憶部８４は、各種情報を記憶するデバイスである。例えば、記憶部８４としては、ＲＡＭ、フラッシュメモリなどの半導体メモリ素子や、ハードディスク、光ディスクなどの記憶装置が挙げられる。
【００５３】
記憶部８４は、制御部８５で実行されるＯＳや各種プログラムを記憶する。さらに、記憶部８４は、各種データを記憶する。例えば、記憶部８４は、利用者情報９０を記憶する。
【００５４】
利用者情報９０は、それぞれの店舗を利用するユーザに関する情報を記憶したデータである。例えば、ポイントカードを提供している店舗では、ポイントカードを作成したユーザに関する情報や、ポイントカードのカード番号などのカードのＩＤ情報、蓄積されたポイント数等が利用者情報９０として記憶されている。なお、利用者情報９０は、それぞれの店舗に設置された店舗装置１２を管理するセンタのサーバコンピュータに記憶されてもよい。
【００５５】
制御部８５は、店舗装置１２を制御するデバイスである。例えば、制御部８５としては、ＣＰＵやＭＰＵ等の電子回路や、ＡＳＩＣやＦＰＧＡ等の集積回路を採用できる。制御部８５は、各種の処理手順を規定したプログラムや制御データを格納するための内部メモリを有し、これらによって種々の処理を実行する。制御部８５は、各種のプログラムが動作することにより各種の処理部として機能する。例えば、制御部８５は、読取制御部１００と、要求部１０１と、判定部１０２と、サービス提供部１０３とを有する。
【００５６】
読取制御部１００は、操作入力部８０に対してチケットの読み取り開始を指示する所定の操作が行われた場合、リーダ部８２を制御してチケットの読み取り行う。なお、カードを利用するサービスを提供する操作が行われた場合に、読取制御部１００は、当該操作に連動してチケットの読み取りを開始するものとしてもよい。例えば、店舗装置１２が、ＰＯＳ端末であり、クレジットでの支払い操作を指定する操作が行われた場合、読取制御部１００は、当該操作に連動してチケットの提示を求めるメッセージを表示部８１に表示させると共に、チケットの読み取りを開始してもよい。
【００５７】
要求部１０１は、読取制御部１００の制御によりリーダ部８２により読み取られたチケットを権限管理装置１３へ送信して権限の確認を要求する。
【００５８】
サービス提供部１０３は、ユーザから提示されたカードが使用可能である場合にカードに応じたサービスを提供する。例えば、サービス提供部１０３は、ユーザから提示されたカードのＩＤ情報が利用者情報９０に記憶され、かつ、権限管理装置１３からカードの使用権限が有効である旨の通知を受けた場合、カードに応じたサービスを提供する。例えば、ユーザがポイントカードを提示して、蓄積されたポイントの利用を要求した場合、サービス提供部１０３は、蓄積されたポイントに応じた金額を商品の金額から差し引いて会計処理を行う。
【００５９】
［１−３．利用権限確認の流れ］
次に、本実施形態に係るシステム１０によるカードの利用権限を確認する流れを図８、図１０を用いて説明する。図８は、使用権限の管理を行うカードの登録を行う流れを示すシーケンス図である。
【００６０】
（１）ユーザ端末１１は、操作入力部５０に対して権限管理装置１３へのアクセスを指示する所定の操作が行われた場合、権限管理装置１３へアクセスを要求する。
（２）権限管理装置１３は、ユーザ端末１１からのアクセスの要求を受信する。
（３）権限管理装置１３は、アクセスの要求を受信すると、ログイン画面のウェブページをユーザ端末１１へ送信してユーザ端末１１にログイン画面を表示させる。これにより、ユーザは、操作入力部５０を操作してログイン画面にユーザＩＤおよびパスワードを入力し、ログインを指示する操作を行う。
（４）ユーザ端末１１は、ログイン画面に対してログインを指示する操作が行われた場合、ログイン画面に入力されたユーザＩＤおよびパスワードを権限管理装置１３へ送信する。
（５）権限管理装置１３は、権限管理装置１３から受信したユーザＩＤおよびパスワードによりユーザの認証を行う。
（６）権限管理装置１３は、ユーザＩＤおよびパスワードによりユーザを認証できた場合、認証完了を通知し、さらに、使用権限の管理を行うカードの登録を行うか、登録したカードの使用権限の有効化の指示を行うかを選択する選択画面のウェブページをユーザ端末１１へ送信してユーザ端末１１に選択画面を表示させる。
（７）ユーザは、使用権限の管理を行うカードの登録を行う場合、操作入力部５０を操作して選択画面からカードの登録を選択する。これにより、ユーザ端末１１は、カードの登録が選択された旨を権限管理装置１３へ送信する。
（８）権限管理装置１３は、選択画面からカードの登録が選択された場合、登録画面のウェブページをユーザ端末１１へ送信してユーザ端末１１に登録画面を表示させる。ユーザは、登録画面から使用権限の管理を行うカードのＩＤ情報や種類などカードに関する情報の入力を行う。
（９）ユーザ端末１１は、登録画面からカードに関する情報の入力が行われた場合、入力されたカードに関する情報を権限管理装置１３へ送信する。
（１０）権限管理装置１３は、登録画面に入力されたカードのＩＤ情報を認証されたユーザのユーザＩＤと対応関連づけ、カードの使用権限を無効状態として権利情報３１にデータを登録する。これにより、権利情報３１には、ユーザＩＤと、カードのＩＤ情報と、カードの使用権限が関連付けて記憶される。
（１１）権限管理装置１３は、権利情報３１へのデータの登録が完了すると、登録完了をユーザ端末１１へ通知する。
【００６１】
なお、本実施の形態では、セキュリティポリシ情報３３にカードの有効期間を予め記憶させているが、有効期間をユーザがユーザ端末１１から設定可能としてもよい。
【００６２】
図９は、カードの使用権限を確認するためのチケットの発行を行う流れを示すシーケンス図である。なお、（１２）〜（１７）は、上述の（１）〜（６）と同様であるため、説明を省略する。
【００６３】
（１８）ユーザは、登録したカードの使用権限の有効化を指示する場合、操作入力部５０を操作して選択画面からカードの使用権限の有効化を選択する。これにより、ユーザ端末１１は、カードの使用権限の有効化が選択された旨を権限管理装置１３へ送信する。
（１９）権限管理装置１３は、選択画面からカードの使用権限の有効化が選択された場合、有効化指示画面のウェブページをユーザ端末１１へ送信してユーザ端末１１に有効化指示画面を表示させる。ユーザは、有効化指示画面から使用権限を有効化するカードのＩＤ情報を選択する。
（２０）ユーザ端末１１は、有効化指示画面で何れかのカードの使用権限の有効化が指示された場合、使用権限の有効化が指示されたカードのＩＤ情報などのカードに関する情報を権限管理装置１３へ送信する。
（２１）権限管理装置１３は、使用権限の有効化が指示されたカードの使用権限を有効に変更する。
（２２）権限管理装置１３は、使用権限の有効化が指示されたカードに対応付けたチケットを生成し、生成したチケットに対応付けて、認証されたユーザのユーザＩＤ、有効化が指示されたカードのＩＤ情報、および提供した日時を提供コード情報３２に登録する。これにより、チケットと、ユーザＩＤと、カードのＩＤ情報と、カードの使用権限が関連付けられる。
（２３）権限管理装置１３は、生成されたチケットをユーザ端末１１へ送信する。ユーザ端末１１は、権限管理装置１３からチケットを受信した場合、当該チケットを記憶部５３に格納する。
【００６４】
図１０は、カードの使用権限を確認する流れを示すシーケンス図である。
【００６５】
（２４）ユーザは、店舗に対してカードの権利を行使する場合、操作入力部５０に対してチケットの提示を要求する所定の操作を行う。これにより、ユーザ端末１１は、記憶部５３に記憶されたチケット６０を近距離無線により読み取り可能な状態にして、チケットを提示する。
（２５）店舗装置１２は、店員により操作入力部８０に対してチケットの読み取り開始を指示する所定の操作が行われた場合、リーダ部８２によりチケットの読み取り行う。
（２６）店舗装置１２は、読み取られたチケットを権限管理装置１３へ送信して権限の確認を要求する。
（２７）権限管理装置１３は、店舗装置１２からチケットを受信した場合、受信したチケットが適切か否か検証を行う。
（２８）権限管理装置１３は、受信したチケットが適切である場合、受信したチケットに対応付けられたカードのＩＤ情報を提供コード情報３２から求め、求めたカードのＩＤ情報に対応して権利情報３１に記憶されたカードの使用権限に基づいて、カードの使用権限の有無を特定する。
（２９）権限管理装置１３は、特定したカードの使用権限をチケットの送信元の店舗装置１２へ通知する。
（３０）店舗装置１２は、サービスが提供可能か判定する。例えば、店舗装置１２は、
ユーザから提示されたカードのＩＤ情報が利用者情報９０に記憶され、かつ、権限管理装置１３からカードの使用権限が有効であるか否か判定する。
（３１）店舗装置１２は、サービスが提供可能である場合、カードに応じたサービスを提供する。
（３２）店舗装置１２は、サービスの提供結果の通知が必要な場合、ユーザ端末１１へサービスの提供結果の通知を行う。
【００６６】
なお、権限管理装置１３が利用者の情報として、利用者の特徴を示す特徴情報を記憶し、使用権限の有無と共に特徴情報も店舗装置１２へ送信してもよい。この特徴情報は、本人確認できる情報であればなんでもよく、例えば、利用者の顔の画像データや、身長、性別、指紋、声紋、ほくろの位置など身体的な特徴情報であってもよい。例えば、権限管理装置１３は、利用者のユーザＩＤに対応付けて利用者の顔の画像データを記憶部２１に記憶させる。そして、通知部４８は、提供コード情報３２から、受信したチケットに対応するユーザＩＤを特定し、特定したユーザＩＤに対応する画像データも利用者情報として店舗装置１２へ送信する。店舗装置１２では、送信された画像データの画像を表示する。これにより、店舗の店員は、画像に写った顔とサービスの提供を求める利用者の顔を比較することにより本人確認を行うことができる。なお、本人確認の方式は、店員等の人による方式に限定されない。例えば、店舗装置１２にカメラを設けて利用者の顔を撮影し、受信した画像データの顔と比較してマッチング等を行って本人確認を行ってもよい。また、特徴情報が声紋である場合は、マイク等で利用者の音声を取得して、声紋が一致するかにより本人確認を行ってもよい。また、特徴情報が指紋である場合は、指紋を読み取る読取装置で利用者の指紋を取得して、指紋が一致するかにより本人確認を行ってもよい。すなわち、店舗装置１２が利用者の身体的な特徴を取得して本人確認を行ってもよい。
【００６７】
このように、権限管理装置１３は、ユーザの各種カードの登録を受付けて使用権限を管理する。すなわち、権限管理装置１３は、登録された発行主体が異なる様々なカードの使用権限を一元管理する。これにより、ユーザは、発行主体が異なる様々なカードを権限管理装置１３に登録することにより、権限管理装置１３のみで様々なカードの使用権限の一元管理することができ、利便性が向上する。権限管理装置１３は、カードの使用権限の有効化が指示された場合、有効化が指示されたカードに対応付けたチケットをユーザへ提供すると共に、所定の期間、使用権限を有効に変更する。そして、権限管理装置１３は、店舗装置１２からチケットが受信された場合に、カードの使用権限を通知する。これにより、権限管理装置１３は、カードを紛失した場合でもカードの不正利用を抑制できる。また、権限管理装置１３は、ユーザの各種カードの登録を受付けて使用権限を一元的に管理する。このため、権限管理装置１３は、ユーザがカードの種類毎に、別なシステムにアクセスしてロック解除を行う必要がなく、それぞれのカードごとにロック解除のルールを覚える必要もないため、ユーザの利便性を向上させることができる。また、店舗装置１２も、権限管理装置１３により各種カードの使用権限を確認できるため、店舗にとってシステム構築の負荷を少なく抑えることができる。
【００６８】
［１−４．作用］
次に、本実施形態に係るシステム１０の作用について説明する。まず、本実施形態に係る権限管理装置１３が使用権限の管理を行うカードに関する情報を権利情報３１に登録する登録処理の流れを説明する。図１１は、登録処理の手順を示すフローチャートである。この登録処理は、所定のタイミング、例えば、登録画面に対して登録完了を指示する操作が行われて、登録画面に入力されたカードのＩＤ情報などのカードに関する情報がユーザ端末１１から受信したタイミングで実行される。
【００６９】
図１１に示すように、登録受付部４１は、登録画面に入力されたカードのＩＤ情報を認証されたユーザのユーザＩＤと対応関連づけ、カードの使用権限を無効状態として権利情報３１にデータを登録し（Ｓ１０）、処理を終了する。
【００７０】
次に、本実施形態に係る権限管理装置１３が利用者に対してチケットを提供するチケット提供処理の流れを説明する。図１２は、チケット提供処理の手順を示すフローチャートである。このチケット提供処理は、所定のタイミング、例えば、有効化指示画面で何れかのカードの使用権限の有効化を指示する操作が行われて、有効化指示画面で使用権限の有効化が指示されたカードを示す情報がユーザ端末１１から受信したタイミングで実行される。
【００７１】
図１２に示すように、生成部４３は、新規のチケットを生成する（Ｓ２０）。登録部４５は、生成部４３により生成されたチケットに対応付けて、認証されたユーザのユーザＩＤ、有効化が指示されたカードのＩＤ情報、および提供した日時を提供コード情報３２に登録する（Ｓ２１）。変更部４６は、使用権限の有効化が指示されたカードについての権利情報３１の使用権限を有効に変更する（Ｓ２３）。提供部４４は、生成されたチケットをユーザに提供し（Ｓ２２）、処理を終了する。
【００７２】
次に、本実施形態に係る権限管理装置１３がカードの使用権限を変更する権限変更処理の流れを説明する。図１３は、権限変更処理の手順を示すフローチャートである。この権限変更処理は、定期的、例えば、一定周期毎に実行される。
【００７３】
図１３に示すように、変更部４６は、提供コード情報３２に記憶された各カードのチケットの提供日時を監視し、提供日時からセキュリティポリシ情報３３に記憶された有効期間を経過したものがあるか否か判定する（Ｓ３０）。有効期間を経過したものがない場合（Ｓ３０否定）、処理を終了する。一方、有効期間を経過したものがある場合（Ｓ３０肯定）、変更部４６は、有効期間を経過したカードについての権利情報３１の使用権限を無効に変更し（Ｓ３１）、処理を終了する。
【００７４】
次に、本実施形態に係る権限管理装置１３がカードの使用権限の有無を通知する通知処理の流れを説明する。図１４は、通知処理の手順を示すフローチャートである。この通知処理は、所定のタイミング、例えば、チケットを受信したタイミングで実行される。
【００７５】
図１４に示すように、検証部４７は、受信したチケットが提供コード情報３２に記憶されているか否か判定する（Ｓ４０）。チケットが提供コード情報３２に記憶されていない場合（Ｓ４０否定）、検証部４７は、店舗装置１２にチケットが不適切である旨を店舗装置１２へ通知し（Ｓ４１）、処理を終了する。一方、チケットが提供コード情報３２に記憶されている場合（Ｓ４０肯定）、通知部４８は、受信したチケットに対応付けられたカードのＩＤ情報を提供コード情報３２から求め、求めたカードのＩＤ情報に対応して権利情報３１に記憶されたカードの使用権限に基づいて、カードの使用権限の有無を特定する（Ｓ４２）。そして、通知部４８は、特定したカードの使用権限のデータを店舗装置１２へ通知し（Ｓ４３）、処理を終了する。
【００７６】
［１−５．効果］
このように、権限管理装置１３は、サービス提供主体から提供されるサービスを店舗で利用する権利に関する権利情報として、各種のカードの登録を受付け、登録を受付けたカードの使用権限を無効状態として使用権限情報を記憶部２１に記憶する。権限管理装置１３は、店舗に対してカードの権利を行使するユーザから権利を行使するカードの使用権限の有効化の指示を受付け、使用権限の有効化が指示されたカードに対応付けたコード情報をユーザへ提供する。また、権限管理装置１３は、使用権限の有効化が指示され、使用権限情報に記憶されたカードの使用権限を所定の期間、有効に変更する。そして、権限管理装置１３は、店舗に設けられた店舗装置１２からコード情報を受信した場合、当該コード情報に対応付けられ、使用権限情報に記憶されたカードの使用権限に基づいて、当該店舗装置１２へカードの使用権限の有無を通知する。これにより、権限管理装置１３は、権利の不正利用を抑制しつつ、ユーザの利便性を向上させることができる。
【００７７】
また、チケットは、有効期限が定められ、権限管理装置１３は、店舗装置１２から受信したチケットが有効期限内である場合に、カードの使用権限が有効である旨を店舗装置１２へ送信する。これにより、権限管理装置１３は、有効期限を適切に定めることにより、チケットが漏洩した場合でも、チケットの不正な使用を抑制できる。
【００７８】
（第２の実施形態）
［２−１．システム構成］
次に、第２の実施形態について説明する。第２の実施形態に係るシステム１０、ユーザ端末１１、店舗装置１２、権限管理装置１３の構成は、第１の実施形態と略同一であるため、主に異なる部分について説明する。
【００７９】
権限管理装置１３は、カードの種類毎に、使用権限を有効化する条件をセキュリティポリシ情報３３として記憶する。例えば、カードの種類毎に、使用権限を有効化する有効期間を記憶する。
【００８０】
変更部４６は、提供コード情報３２に記憶された各カードのチケットの提供日時を定期的に監視し、提供日時からセキュリティポリシ情報３３に記憶された各カードの種類に応じた有効期間を経過したカードの使用権限を無効に変更する。
【００８１】
これにより、権限管理装置１３は、カードの種類毎にチケットを有効とする有効期間を設定できるため、カードの種類毎にセキュリティを変更できる。例えば、紛失して不正利用された場合に被害が多いカードや、不正利用が多いカードについては、有効期間を短くすることにより、不正利用を抑制できる。また、不正利用が少ないカードは、有効期間を長くすることにより、ユーザがチケットを取得してから長い間利用できるため、利便性が向上する。なお、カードの種類毎の使用権限を有効化する条件は、それぞれのユーザが個別に設定できるようにしてもよく、また、権限管理装置１３の管理者が設定してもよい。
【００８２】
また、変更部４６は、指示受付部４２により使用権限の有効化を指示したユーザについて、権利情報３１で有効化が指示された以外のカードが有効化されている場合、有効化が指示されたカードを無効状態とする。すなわち、変更部４６は、既に何れかのカードが有効化されている場合、有効化が指示されたカードを有効化せずに無効状態として、複数のカードを同時に有効化できないようにする。
【００８３】
また、提供部４４は、指示受付部４２により使用権限の有効化を指示したユーザについて、有効化が指示された以外のカードが有効化されている場合、有効化が指示されたカードについてのコード情報の提供を中止する。
【００８４】
これにより、権限管理装置１３は、ユーザが複数のカードを同時に有効化できないため、各カードのチケットが漏れた場合でも不正利用を抑制できる。
【００８５】
また、本実施形態に係る有効化指示画面は、広告の表示が可能とされている。図１５は、有効化指示画面の一例を示す図である。有効化指示画面１１０は、画面上に配置されたボタン１１１上にカードのＩＤ情報および種類が表示されており、ボタン１１１により有効化するカードの選択が可能とされている。また、有効化指示画面１１０は、広告１１２の表示が可能とされている。指示受付部４２は、有効化指示画面１１０で有効化するカードが指定された場合、指定されたカードが提供するサービスに関連する広告１１２を有効化指示画面１１０に表示してユーザに対して提示する。例えば、指示受付部４２は、広告１１２として、指定されたカードのサービスを提供する近隣の店舗を有効化指示画面１１０に表示させる。また、権限管理装置１３は、各ユーザが有効化したカードの履歴情報を記憶部２１に蓄積することにより、カードの使用状況を把握できるため、例えば、使用状況の高いカードのサービスに関する広告を有効化指示画面１１０に表示させる。例えば、権限管理装置１３は、使用頻度が高いポイントカードのサービスを提供する店舗や、当該ポイントカードで高いポイントを得られる商品に関する広告を有効化指示画面１１０に表示させる。有効化指示画面１１０に表示させる広告は、カードが提供するサービス毎に提供する広告を記憶した他のサーバ装置へ問い合わせをして取得するものとしてもよい。また、権限管理装置１３が、記憶部２１に各サービスに関連する広告を広告情報として記憶し、広告情報から表示する広告を取得するものとしてもよい。なお、図１５に示した有効化指示画面１１０のレイアウトは、一例であり、これに限定されるものではない。
【００８６】
［２−２．効果］
このように、権限管理装置１３は、カードの種類毎に、使用権限を有効化する条件を記憶部２１にさらに記憶する。そして、権限管理装置１３は、記憶部２１に記憶されたカードの種類に応じた条件に従い、使用権限の有効化を指示されたカードの使用権限を変更する。これにより、権限管理装置１３は、カードの種類毎に、条件を設定できるため、カードの種類毎に使用権限を変更できる。
【００８７】
また、権限管理装置１３は、有効化が指示されたカードに関連する広告をさらにユーザへ提供する。これにより、権限管理装置１３は、有効化が指示されたカードに関連する広告を提示することで、ユーザが利用するサービスに応じた広告を提供できるため、高い広告効果を得ることができる。
【００８８】
また、権限管理装置１３は、カードの有効化を指示したユーザについて、有効化が指示された以外のカードが有効化されている場合、有効化が指示されたカードを無効状態とし、コード情報の提供を中止する。これにより、権限管理装置１３は、各カードのチケットが漏れた場合でも不正利用を抑制できる。
【００８９】
［３．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００９０】
例えば、上記の実施形態では、施設として店舗を例とし、サービス提供主体から提供される権利として、カードの権利を行使する場合について場合について説明したが、本発明はこれに限定されない。例えば、役所での戸籍の取得や法務局での不動産登記情報の閲覧などの公共機関において特定の個人にだけサービスを提供する場合に適用してもよい。また、店舗において、ユーザが会員かどうか、ユーザが割引価格で買えるかどうかなどの権利の確認を行う場合に適用してもよい。すなわち、権限管理装置１３が管理対象とする権利は、カードにより提供される権利に限定されるものではない。
【００９１】
また、上記の実施形態では、権限管理装置１３は、店舗においてカードの権利の行使する権限を確認するためにチケットをユーザへ提供する場合について場合について説明したが、本発明はこれに限定されない。例えば、カードを用いた入退出の管理を行う際に、権限管理装置１３は、カードにより入出または退出する権限を確認するためにコード情報をユーザ提供し、入退出管理システムがコード情報により権限を確認できたカードについて入出または退出を認めるものとしてもよい。これにより、なりすましによる不正な入出または退出を抑制できる。
【００９２】
また、権限管理装置１３が管理対象とする権利は、それぞれ１つのサービスを利用する権利に限定されない。すなわち、権限管理装置１３が管理対象とする権利は、複数のサービスをそれぞれ利用可能な権利であってもよい。このように複数のサービスを利用可能な権利であっても権限管理装置１３にまとめて登録することにより、サービス毎に権利を別に管理する必要がなくなり、権限管理装置１３により統一的に管理を行うことができるため、ユーザの利便性が向上する。また、店舗装置１２も、権限管理装置１３で各サービス
サービス毎に別なシステムで権限を確認する必要がなく、権限管理装置１３で各サービスの権限を確認できるため、店舗にとってシステム構築の負荷を少なく抑えることができる。
【００９３】
また、上記の実施形態では、店舗装置１２が、チケットを権限管理装置１３へ送信し、権限管理装置１３が、受信したチケットが提供コード情報３２に記憶されているか否か判定する場合について説明したが、本発明はこれに限定されない。例えば、店舗装置１２が、チケットと共に、カードのＩＤ情報およびユーザのユーザＩＤの少なくとも一方を権限管理装置１３へ送信し、権限管理装置１３が、受信したチケットに関連付けてＩＤ情報、ユーザＩＤが提供コード情報３２に記憶されているか否か判定してもよい。これにより、チケットを権限管理装置１３は、チケットがカードに対して発行されたものであるか、および、チケットを提示したユーザがカードを所持する正当なユーザであるか否かを検証できる。
【００９４】
また、上記の実施形態では、セキュリティポリシ情報３３に使用権限を有効化する条件としてチケットの有効期間を記憶させた場合について説明したが、本発明はこれに限定されない。例えば、セキュリティポリシとして、店舗装置１２のＩＰアドレスなどのアドレス情報を記憶し、記憶されたアドレス情報のアドレスから受信した場合にチケットを有効とするものとしてもよい。また、例えば、セキュリティポリシとして、店舗装置１２からチケットを受信してから、例えば、５分など所定の期間以内にチケットを要求したユーザを権限管理装置１３で認証できた場合に、カードの使用権限の有効としてもよい。これにより、チケットが漏洩した場合でも不正利用を抑制でき、チケットのセキュリティを高めることができる。
【００９５】
また、上記の実施形態では、権利情報３１および提供コード情報３２に、ユーザのユーザＩＤと、カードの固有のＩＤ情報を関連付けて記憶させる場合について説明したが、本発明はこれに限定されない。例えば、カードのＩＤ情報として、カードに固有に定められた番号に関連付けて定められた中間的な番号を記憶させてもよい。図１６は、中間的な番号を説明するための図である。例えば、図１６に示すように、カードに固有に定められた番号（ＳＩＤ）に関連付けて中間的な番号（ＬｉｎｋＩＤ）を定める。そして、権利情報３１および提供コード情報３２には、ユーザのユーザＩＤと、ＬｉｎｋＩＤを関連付けて記憶させる。これにより、ＬｉｎｋＩＤを介してユーザＩＤとＳＩＤが関連付けられる。このように、カードに固有に定められた番号に代えてＬｉｎｋＩＤを記憶させることにより、例えば、記憶部２１に記憶された権利情報３１および提供コード情報３２が漏洩してＬｉｎｋＩＤが漏洩した場合でも、カードに固有の番号の漏洩を防止できる。
【００９６】
また、上述した権限管理装置１３は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【００９７】
また、特許請求の範囲に記載した「手段」は、「部（section、module、unit）」や「回路」などに読み替えることができる。例えば、検索手段は、検索部や検索回路に読み替えることができる。
【符号の説明】
【００９８】
１０  システム
１１  ユーザ端末
１２  店舗装置
１３  権限管理装置
２１  記憶部
２２  制御部
３０  ユーザ情報テーブル
３１  権利情報
３２  提供コード情報
３３  セキュリティポリシ情報
４０  認証部
４１  登録受付部
４２  指示受付部
４３  生成部
４４  提供部
４５  登録部
４６  変更部
４７  検証部
４８  通知部
【図１】
0005507641.tif 000002
【図２】
0005507641.tif 000003
【図３】
0005507641.tif 000004
【図４】
0005507641.tif 000005
【図５】
0005507641.tif 000006
【図６】
0005507641.tif 000007
【図７】
0005507641.tif 000008
【図８】
0005507641.tif 000009
【図９】
0005507641.tif 000010
【図１０】
0005507641.tif 000011
【図１１】
0005507641.tif 000012
【図１２】
0005507641.tif 000013
【図１３】
0005507641.tif 000014
【図１４】
0005507641.tif 000015
【図１５】
0005507641.tif 000016
【図１６】
0005507641.tif 000017